(57)【特許請求の範囲】
【請求項１】
屋根面に形成される突状部を挟んで対向状に配設する二つの部材からなる外設部材用の取付金具であって、
前記二つの部材は、それぞれ一面側と他面側とで異なる二種の挟持用受部を備え、何れか一方又は両方の部材に外設部材の取付部を有し、
一方の部材の何れか一種の挟持用受部と他方の部材の何れか一種の挟持用受部とを組み合わせて前記突状部の両側に配設することを特徴とする外設部材用の取付金具。
【請求項２】
二つの部材には、それぞれ通孔が形成され、両部材を連結ボルトで連結していることを特徴とする請求項１に記載の外設部材用の取付金具。
【請求項３】
二つの部材の何れか一方には、取付部として、上方が開放する溝部が形成され、該溝部には取付ボルトの頭部が収容されていることを特徴とする請求項１又は２に記載の外設部材用の取付金具。
【請求項４】
屋根面に形成される凸状部に請求項１〜３の何れか一項に記載の取付金具を取り付け、該取付金具の取付部に外設部材を取り付けてなることを特徴とする外設部材の取付構造。
【発明の詳細な説明】
【技術分野】
【０００１】
本発明は、既設屋根に太陽電池モジュールや雪止め材等の外設部材を敷設する構造において、例えばハゼ部等の突状部の形状が異なる複数種のハゼ式折板屋根等に強固に固定することができる外設部材用の取付金具、及び外設部材の取付構造に関する。なお、本発明における取付金具は、アルミの押出型材等の金属製であってもよいし、十分な強度を有するものであれば、各種の硬質樹脂製等であってもよく、“金具”という名称でその材質を制限するものではない。
【背景技術】
【０００２】
従来、金属屋根等の既設屋根の上に太陽電池モジュール等の外設部材を敷設する構造が広く採用されている。
例えば特許文献１などには、丸ハゼ式折板屋根にも角ハゼ式折板屋根にも適用できる取付器具が提案されている。
この特許文献１に提案されている取付器具は、ハゼ部を挟持する一対の挟持部材100a，100bを含むものであって、それぞれ略椀状に形成された挟持部材100a，100bには、高さの異なる二つの当接部位を有する当接片131を備えるように形成されている。
【先行技術文献】
【特許文献】
【０００３】
【特許文献１】特開２０１５−４８６３７号公報
【発明の開示】
【発明が解決しようとする課題】
【０００４】
しかしながら、前記特許文献１の取付器具を構成するように挟持部材100a，100bは、鋼板の打ち抜き及び折り曲げ加工により形成される複雑な形状を有するものであって、しかも丸ハゼ式の一種、角ハゼ式の一種の合計二種のハゼにのみにしか適応できないため、高い費用を掛けて作製する価値が低いものであった。
【０００５】
そこで、本発明者らは、既設屋根に太陽電池モジュールや雪止め材等の外設部材を敷設する構造において、ハゼ部等の突状部の形状が異なる複数種のハゼ式折板屋根等に強固に固定することができる外設部材用の取付金具及び外設部材の取付構造を提案することを目的とする。
【課題を解決するための手段】
【０００６】
本発明は、上記に鑑み提案されたもので、屋根面に形成される突状部を挟んで対向状に配設する二つの部材からなる外設部材用の取付金具であって、前記二つの部材は、それぞれ一面側と他面側とで異なる二種の挟持用受部を備え、何れか一方又は両方の部材に外設部材の取付部を有し、一方の部材の何れか一種の挟持用受部と他方の部材の何れか一種の挟持用受部とを組み合わせて前記突状部の両側に配設することを特徴とする外設部材用の取付金具に関するものである。
【０００７】
また、本発明は、前記取付金具において、二つの部材には、それぞれ通孔が形成され、両部材を連結ボルトで連結していることを特徴とする外設部材用の取付金具も提案する。
【０００８】
また、本発明は、前記取付金具において、二つの部材の何れか一方には、取付部として、上方が開放する溝部が形成され、該溝部には取付ボルトの頭部が収容されていることを特徴とする外設部材用の取付金具も提案する。
【０００９】
さらに、本発明は、屋根面に形成される突状部に前記構成の取付金具を取り付け、該取付金具の取付部に外設部材を取り付けてなることを特徴とする外設部材の取付構造も提案するものである。
【発明の効果】
【００１０】
本発明の外設部材用の取付金具は、一面側と他面側とで異なる二種の挟持用受部を備える二種の部材を対向状に配設して用いるものであるから、それぞれの部材の作製を容易に且つ安価に行うことができ、しかも各部材を反転させるだけの極めて簡易な操作にて複数種のハゼ部等の突状部（の形状）に対して適用できるため、費用対効果が極めて高いものである。
【００１１】
また、二つの部材には、それぞれ通孔が形成され、両部材を連結ボルトで連結している場合には、連結ボルトにナットを締め付けて両部材を一体化できると共に突状部を挟み込むように強く取り付けることができる。
【００１２】
また、二つの部材の何れか一方には、取付部として、上方が開放する溝部が形成され、該溝部には取付ボルトの頭部が収容されている場合には、取付ボルトを溝部の長さ方向に位置調整することができ、太陽電池モジュールや雪止め材等の外設部材の配設もそれにより位置調整して取り付けることができる。
【００１３】
さらに、本発明の外設部材の取付構造は、複数種類の既設屋根に対し、容易に且つ安価に適用できるものであり、実用的価値が極めて高いものである。
【図面の簡単な説明】
【００１４】
【図１】（ａ）本発明の第１実施例の取付金具の正面図、（ｂ）左側面図、（ｃ）右側面図、（ｄ）平面図、（ｅ）用いた連結ボルトやナット等を示す斜視図、（ｆ）挟持用受部を拡大して示す正面図である。
【図２】（ａ）屋根面に形成される一例の突状部に対して第１実施例の取付金具を取り付けた状態を示す正面図、（ｂ）屋根面に形成される一例の突状部のみを示す正面図、（ｃ）一例の突状部に対する第１実施例の取付金具の組み付け状態の途中を示す正面図、（ｄ）第１実施例の取付金具を構成する第一部材と第二部材とをそれぞれ反転して組み合わせた状態（第２実施例）を示す正面図、（ｅ）屋根面に形成される別の一例の突状部に対して第２実施例の取付金具を取り付けた状態を示す正面図、（ｆ）屋根面に形成される別の一例の突状部のみを示す正面図、（ｇ）別の一例の突状部に対する第２実施例の取付金具の組み付け状態の途中を示す正面図である。
【図３】（ａ）屋根面に形成される一例の突状部に対して第３実施例の取付金具、押さえ金具、アングル材を取り付ける直前の状態を示す斜視図、（ｂ）取り付けた状態を示す斜視図、（ｃ）要部の正面図、（ｄ）その右側面図である。
【図４】（ａ）屋根面に形成される一例の突状部に対して第４実施例の取付金具、押さえ金具、アングル材を取り付ける直前の状態を示す斜視図、（ｂ）取り付けた状態を示す斜視図、（ｃ）要部の正面図、（ｄ）その右側面図である。
【発明を実施するための形態】
【００１５】
本発明の外設部材用の取付金具は、屋根面に形成される突状部を挟んで対向状に配設する二つの部材からなる。
前記二つの部材は、それぞれ一面側と他面側とで異なる二種の挟持用受部を備え、何れか一方又は両方の部材に外設部材の取付部を有する。
そして、一方の部材の何れか一種の挟持用受部と他方の部材の何れか一種の挟持用受部とを組み合わせて前記突状部の両側に配設する。
【００１６】
本発明の取付金具は、太陽電池モジュール（太陽電池パネル）や雪止め材等の外設部材を屋根面上に取り付けるための部材であって、屋根面に形成される突状部とは、例えばハゼ式折板屋根におけるハゼ部を指すが、例えば隣り合う屋根材（外装材）同士の端縁と保持部材（吊子）の起立片を重合状にカシメた構成でもよいし、後述する図示実施例のようにその外側にキャップ状のカバー材を取り付けた構成でもよい。
【００１７】
本発明の取付金具を構成する二つの部材は、説明のため、便宜的に第一部材と第二部材とする。
これらの第一部材、第二部材は、それぞれ一面側（表側）と他面側（裏側）とで異なる二種の挟持用受部を備える。
これらの挟持用受部の組み合わせは、表−表、裏−裏、表−裏、裏−表の最大で４種類が存在するが、後述する図示実施例にように左右対称状のカバー材を取り付けて形成する突状部では、第一部材の一面側と第二部材の他面側とが略同一（略対称状）の挟持用受部を備えることになるので、最大で２種類が存在するものとなる。
即ち一方の屋根材の側縁を他方の屋根材の側縁に被せるように重合させ（オーバーハング状に取り付け）て形成する突状部や前述の隣り合う屋根材（外装材）同士の端縁と保持部材（吊子）の起立片を重合状にカシメて形成する突状部は、左右非対称となるので、それに応じる挟持用受部も非対称となり、カバー材を取り付けて形成する突状部では左右が略対称状であるため、それに応じる挟持用受部も略対称状となる。
【００１８】
そして、第一部材と第二部材との何れか一方又は両方の部材に外設部材の取付部を有する。この取付部は、太陽電池モジュールや雪止め材等の外設部材を直接的に受支する部位であってもよいし、後述する図示実施例に示すように外設部材を受支する支持材（押さえ金具）を取り付ける（間接的に受支する）部位であってもよく、当該取付部の構成は単に平坦状の受面部を有するものであって、適宜固着具等にて取り付ける構成でもよいし、後述するように上方が開放する溝部や取付ボルトを備えて位置調整可能にした構成であってもよい。
【００１９】
また、前記二つの部材（第一部材及び第二部材）には、それぞれ通孔が形成され、両部材を連結ボルトで連結していることが望ましい。これらの二つの部材は、突状部を挟んで左右に対向状に配設されるので、前記連結ボルトは横方向に配設されるボルトであって、前記通孔も横孔である。
この場合、連結ボルトにナットを締め付けて両部材を一体化できると共に突状部を挟み込むように強く取り付けることができる。
【００２０】
なお、前記挟持用受部については、取り付けようとする屋根面に形成される突状部の形状に応じて選ばれるが、多種の突状部へ対応できるような凹凸形状を有するものが好適に選択される。例えば後述する図示実施例のように連結ボルトにナットを締め付けて第一部材及び第二部材を左右から挟み込む際に、突状部の何れかの部位に強く圧接する凸状部分を少なくとも一箇所以上設けていることが好ましい。
【００２１】
さらに、前記二つの部材（第一部材及び第二部材）の何れか一方には、前記取付部として、上方が開放する溝部が形成され、該溝部には取付ボルトの頭部が収容されていることが望ましい。
この構成は、位置調整可能にした構成と前述したが、取付ボルトを溝部の長さ方向に位置調整することができ、ナットを締め付けることにより、太陽電池モジュール等の外設部材の配設もそれにより位置調整して取り付けることができる。
【実施例１】
【００２２】
図１に示す第１実施例の取付金具１は、同図には図示しない屋根面に形成される突状部を挟んで対向状に配設する二つの部材２，３からなり、前記二つの部材２，３は、それぞれ一面側（図面の左側面）と他面側（図面の右側面）とで異なる二種の挟持用受部２１Ａ，２１Ｂ，３１Ａ，３１Ｂを備え、一方の部材２に外設部材の取付部２２２を有する。
なお、図中左側に位置する部材２を第一部材とし、図中右側に位置する部材３を第二部材とする。
【００２３】
図１（ａ）は前記取付金具１の正面図であり、同図（ｂ）はその左側面図、同図（ｃ）はその右側面図、同図（ｄ）はその平面図を示している。
前記取付金具１を構成する第一部材２は、図中左側に位置する部材であって、第二部材３は、図中右側に位置する部材であり、それぞれの左側面を一面側（表側）、右側面を他面側（裏側）としたので、この第１実施例は第一部材２の他面側の挟持用受部２１Ｂと第二部材３の一面側の挟持用受部３１Ａとが対向状に配設されて同図には図示しない突状部を挟み込む構成である。
【００２４】
前記第一部材２は、一面側及び他面側（左方及び右方）に突出する上面部２２１，２２１を備える上部２２と略鉛直状の縦部２１とからなるピース材であり、前記縦部２１の一面側（図面の左側）に挟持用受部２１Ａが形成され、他面側（図面の右側）に挟持用受部２１Ｂが形成される構成である。
これらの挟持用受部２１Ａ，２１Ｂについては、図１（ｆ）に拡大して示したが、一面側の挟持用受部２１Ａは、上方から順に略平坦状部分２１１と、上端が外方へ膨出して下方に向かって傾斜する中間凸部分２１２と、外方へ突出する下方凸部分２１３と、からなり、長さ割合は概略１０：１２：１である。他面側の挟持用受部２１Ｂは、上方から順に略平坦状部分２１４と、略矩形状に外方へ突出する下方凸部分２１５と、略平坦状の短凹部分２１６と、からなり、長さ割合は概略２０：２：１である。
【００２５】
また、この第一部材２の縦部２１の上方には、連結ボルト１ｂを挿通する横孔である通孔２１７が設けられ、更にその上方には、略三角形状に突出する凸部２１８，２１８、２１９，２１９が両面に形成され、上部２２の略中央には、上方が開放してその内部に取付ボルト（図示せず）の頭部を収容可能な溝部２２２が形成され、該溝部２２２が外設部材の取付部となっている。
【００２６】
前記第二部材３は、略水平状の横片部３２と略鉛直状の縦部３１とからなるピース材であり、前記縦部３１の一面側に挟持用受部３１Ａが形成され、他面側に挟持用受部３１Ｂが形成される構成である。
これらの挟持用受部３１Ａ，３１Ｂについては、図１（ｆ）に拡大して示したが、一面側の挟持用受部３１Ａは、前記第一部材２の他面側の挟持用受部２１Ｂと対称状の構成を有し、上方から順に略平坦状部分３１１と、略矩形状に外方へ突出する下方凸部分３１２と、略平坦状の短凹部分３１３と、からなり、長さ割合は概略２０：２：１である。他面側の挟持用受部３１Ｂは、前記第一部材２の一面側の挟持用受部２１Ａと対称状の構成を有し、上方から順に略平坦状部分３１４と、上端が外方へ膨出して下方に向かって傾斜する中間凸部分３１５と、外方へ突出する下方凸部分３１６と、からなり、長さ割合は概略１０：１２：１である。
【００２７】
また、この第二部材３の縦部３１の上方には、連結ボルト１ｂを挿通する横孔である通孔３１７が設けられている。
そして、前記第一部材２と前記第二部材３とを連結ボルト１ｂを用いて連結する。その際には、連結ボルト１ｂを第一部材２側から前記通孔２１７，３１７に挿入して第二部材３側へ突出させた雌ネジ部分１２に、座金１ｅ、スプリングワッシャー１ｄを介してナット１ｃを締め付けるが、第二部材３の横片部３２の端部が第一部材２の凸部２１８，２１９間に嵌合するので、下方凸部分２１５，３１２へボルト・ナットの締着力が確実に伝わり、また、必要以上の締め付けが防止される。
【００２８】
このように図１に示す第１実施例の取付金具１は、前記第一部材２の挟持用受部２１Ｂと前記第二部材３の挟持用受部３１Ａとが略対称状に形成されており、更に前記第一部材２の挟持用受部２１Ａと前記第二部材３の挟持用受部３１Ｂとが略対称状に形成されているので、２種類の組み合わせが存在するものである。
そして、それぞれの部材（第一部材２及び第二部材３）を反転させるだけの極めて簡易な操作にて複数種のハゼ部等の突状部（の形状）に応じた挟持用受部を選択することができる。
【００２９】
図２（ａ）は、屋根面に形成される一例の突状部７Ａに対し、前記第１実施例の取付金具１を取り付けた状態を示すものであって、図２（ｂ）はその組み付け状態の途中の状態を示し、図２（ｂ）は前記取付金具１を取り付ける以前の突状部７Ａのみを示している。
【００３０】
前記突状部７Ａは、図示しない下地上に固定した略Ｌ字状の吊子（保持部材）５Ａと、その左右に面板部４１の側縁４２を立ち上げて内側へ折り返した（折返し片４３）構成の屋根材４Ａ，４Ａと、該屋根材４Ａ，４Ａの側縁４２，４２及び折返し片４３，４３に上方から被せるように配設したカバー材６Ａと、からなる構成である。なお、図中、５１は下地上に沿わせる略水平状の固定片（横片）であり、５２は略鉛直状の起立片（縦片）であり、保持部材５Ａの縦片５２に左右から屋根材４Ａ，４Ａの側縁４２，４２を沿わせた状態で、上方からカバー材６Ａを弾性的に嵌合させて取り付けたものである。前記カバー材６Ａは、取付状態の形状より、左右の脚片６１，６１の下端６２，６２が近接するように成形されるので、上方から取り付ける際に弾性に抗して拡開され、取り付けた状態でも内側への弾性反発力は作用している。
【００３１】
そして、前記構成の突状部７Ａに対し、前記第１実施例の取付金具１は、一方側（左側）に配置する第一部材２の他面側の挟持用受部２１Ｂと他方側（右側）に配置する第二部材３の一方側の挟持用受部３１Ａとを対向状に配置させ、連結ボルト１ｂにナット１ｃを締め付けることにより、挟持状に保持している。
具体的に前記取付金具１は、カバー材６Ａの左右の脚片６１，６１に挟持用受部２１Ｂ，３１Ａの略平坦状部分２１４，３１１が密接状に沿い、カバー材６Ａが覆っていない屋根材４Ａ，４Ａの側縁４２，４２に下方凸部分２１５，３１２が密接状に沿う状態で保持している。この状態では、例え取付金具１を上方へ持ち上げるような応力が作用しても、下方凸部分２１５，３１２がカバー材６Ａの下端６２，６２に係止するので、取付金具１の抜き取りが防止される。
【００３２】
図２（ｃ）は、前述のように突状部７Ａに対する取付金具１の組み付け状態の途中を示すものであり、当然のことながら、この時点ではナット１ｃは外れない程度に組み付けられているに過ぎない（締め付けられていない）。
【００３３】
図２（ｄ）は、第２実施例の取付金具１'を示すものであるが、前記第１実施例の取付金具１を構成する第一部材２と第二部材３とをそれぞれ反転して組み合わせた状態であって、一面側及び他面側を反転した各部材２，３をそれぞれ第一部材２'、第二部材３'とするが、各挟持用受部２１Ａ，２１Ｂ，３１Ａ，３１Ｂ、及びその具体的形状については、部材名称も符号も前記第１実施例と全く変更していない。
したがって、この第２実施例の取付金具１'は、第一部材２'の挟持用受部２１Ａと第二部材３'の挟持用受部３１Ｂとが対向状に配設されている構成である。
【００３４】
図２（ｅ）は、屋根面に形成される一例の突状部７Ｂに対し、前記第２実施例の取付金具１'を取り付けた状態を示すものであって、図２（ｇ）はその組み付け状態の途中の状態を示し、図２（ｆ）は前記取付金具１'を取り付ける以前の突状部７Ｂのみを示している。
【００３５】
前記突状部７Ｂは、図示しない下地上に、略Ｌ字状の吊子（保持部材）５Ｂの横片５１ｂを固定し、その縦片５２ｂの左右に面板部４１ｂの側縁４２ｂを立ち上げた屋根材４Ｂ，４Ｂを沿わせ、その状態で前記縦片５２ｂの上半部分５３ｂを一方側へ折り曲げて一方の側縁４２ｂの上端に倒し込み、更に上方からカバー材６Ｂを弾性的に嵌合させて取り付けた。なお、前記カバー材６Ｂは、取付状態の形状より、左右の脚片６１ｂ，６１ｂの下端６２ｂ，６２ｂが近接するように成形されるので、上方から取り付ける際に弾性に抗して拡開され、取り付けた状態でも内側への弾性反発力は作用している。
【００３６】
そして、前記構成の突状部７Ｂに対し、前記第２実施例の取付金具１'は、一方側（左側）に配置する第一部材２'の挟持用受部２１Ａと他方側（右側）に配置する第二部材３'の挟持用受部３１Ｂとを対向状に配置させ、連結ボルト１ｂにナット１ｃを締め付けることにより、挟持状に保持している。
具体的に前記取付金具１'は、カバー材６Ｂの左右の脚片６１ｂ，６１ｂに挟持用受部２１Ａ，３１Ｂの中間凸部分２１２，３１５が密接状に沿い、カバー材６Ｂが覆っていない屋根材４Ｂ，４Ｂの側縁４２ｂ，４２ｂに下方凸部分２１３，３１６が密接状に沿う状態で保持している。この状態では、取付金具１'を上方へ持ち上げるような応力が作用しても、下方凸部分２１３，３１６がカバー材６Ｂの下端に係止するので、抜き取りが防止される。
【００３７】
図２（ｇ）は、前述のように突状部７Ｂに対する取付金具１'の組み付け状態の途中を示すものであり、当然のことながら、この時点ではナット１ｃは外れない程度に組み付けられているに過ぎない（締め付けられていない）。
【００３８】
このように第１実施例の取付金具１は、前記第一部材２と前記第二部材３とをそれぞれ反転させるだけの極めて簡易な操作にて異なる２種（この場合は突状部７Ａと突状部７Ｂと）に容易に適応させることができるものである。
【００３９】
図３は前記図２（ａ）における突状部７Ａに対し、第３実施例の取付金具１Ｚを取り付けた状態を示す。
この第３実施例の取付金具１Ｚは、第一部材２Ｚと第二部材３Ｚの長さがほぼ同様であり、前記第１実施例の取付金具１の凸部（２１８，２１８、２１９，２１９）が設けられない以外は、全く同様であるから、図面に同一符号を付して説明を省略する。即ちこの第３実施例における第一部材２Ｚは、凸部２１８，２１８、２１９，２１９）が設けられない以外は前記第１実施例における第一部材２と全く同一であり、この第３実施例における第二部材３Ｚは、縦長に形成されている以外は前記第１実施例における第二部材３と全く同一であり、各挟持用受部２１Ａ，２１Ｂ，３１Ａ，３１Ｂ、及びその具体的形状については、部材名称も符号も前記第１実施例と全く変更していない。
したがって、この第３実施例の取付金具１Ｚは、第一部材２Ｚの挟持用受部２１Ｂと第二部材３Ｚの挟持用受部３１Ａとが対向状に配設されて前記突状部７Ａを挟み込む構成である。
【００４０】
なお、前記突状部７Ａを挟持用受部２１Ｂと挟持用受部３１Ａとで挟み込む構成については、既に図２（ａ）の第１実施例と全く同様であるから、この第３実施例ではその説明の重複を避ける。
【００４１】
図３は、前記突状部７Ａに対して前記第３実施例の取付金具１Ｚを取り付け、更にその取付部（＝溝部２２２）に雪止め材としてのアングル材９を固定する構成を示すものである。
図３（ａ）では、突状部７Ａを挟んで左奥側に第一部材２Ｚを、右手前側に第二部材３Ｚを配設しており、それぞれ二箇所に形成した通孔２１７，３１７に対し、左奥側から連結ボルト１ｂ，１ｂを右手前側へ挿通させ、ナット１ｃ，１ｃを締め付けて突状部７Ａにこの取付金具１Ｚを一体的に固定する。
【００４２】
そして、取付部である第一部材２Ｚの溝部２２２に取付ボルト８ｂを取り付け、該取付ボルト８ｂに押さえ金具８Ａを取り付け、該押さえ金具８Ａによりアングル材９を保持する構成である。
なお、前記押さえ金具８Ａは、中央に孔８１１を形成した平面視矩形状の固定部８１と、断面略ワ字状の押さえ保持部８２とからなるピース材であり、前記アングル材９は、略水平状の横面部９１とそれを下端に折曲した縦面部９２とからなる断面逆Ｌ字状の長尺材である。
そして、前記第一部材２Ｚの溝部２２２の側端から六角ボルトである取付ボルト８ｂの頭部を収容し、立設状に臨ませた取付ボルト８ｂの雌ネジ部分に、上方から押さえ金具８Ａの孔８１１を挿通させ、該押さえ金具８Ａの押さえ保持部８２にアングル材９の横面部９１及び角部を押さえ保持した。
【００４３】
このように施工される図３の雪止め材９の取付構造は、流れ方向から見た正面図である図３（ｃ）より明らかなようにアングル材９の雪止め部に相当する縦面部９２が流れ方向に正対するように臨むものであって、複数種類の既設屋根に対し、容易に且つ安価に適用できるものであり、実用的価値が極めて高いものである。なお、流れ方向の側方から見た側面図である図３（ｄ）より明らかなようにある一定以上の積雪は、縦面部９２に堰き止められて落雪することがなく雪止めされるものとなる。
【００４４】
図４は前記図２（ｅ）における突状部７Ｂに対し、第４実施例の取付金具１Ｚ'を取り付けた状態を示す。
この第４実施例の取付金具１Ｚ'は、前記第３実施例の取付金具１Ｚを構成する第一部材２Ｚと第二部材３Ｚとをそれぞれ反転して組み合わせ、一面側及び他面側を反転した各部材２Ｚ，３Ｚを第一部材２Ｚ'、第二部材３Ｚ'とするが、各挟持用受部２１Ａ，２１Ｂ，３１Ａ，３１Ｂ、及びその具体的形状については、部材名称も符号も前記第３実施例と全く変更していない。
したがって、この第４実施例の取付金具１Ｚ'は、第一部材２Ｚ'の挟持用受部２１Ａと第二部材３Ｚ'の挟持用受部３１Ｂとが対向状に配設されている構成である。
【００４５】
なお、前記突状部７Ｂを挟持用受部２１Ａと挟持用受部３１Ｂとで挟み込む構成については、既に図２（ｅ）の第２実施例と全く同様であるから、この第４実施例ではその説明の重複を避ける。
【００４６】
図４は、前記突状部７Ｂに対して前記第４実施例の取付金具１Ｚ'を取り付け、更にその取付部（＝溝部２２２）に雪止め材としてのアングル材９を固定する構成を示すものである。
図４（ａ）では、突状部７Ｂを挟んで左奥側に第一部材２Ｚ'を、右手前側に第二部材３Ｚ'を配設しており、それぞれ二箇所に形成した通孔２１７，３１７に対し、左奥側から連結ボルト１ｂ，１ｂを右手前側へ挿通させ、ナット１ｃ，１ｃを締め付けて突状部７Ｂにこの取付金具１Ｚ'を一体的に固定する。
【００４７】
そして、取付部である第一部材２Ｚ'の溝部２２２に取付ボルト８ｂを取り付け、該取付ボルト８ｂに押さえ金具８Ａを取り付け、該押さえ金具８Ａによりアングル材９を保持する構成である。
そして、前記第一部材２Ｚ'の溝部２２２の側端から六角ボルトである取付ボルト８ｂの頭部を収容し、立設状に臨ませた取付ボルト８ｂの雌ネジ部分に、上方から押さえ金具８Ａの孔８１１を挿通させ、該押さえ金具８Ａの押さえ保持部８２にアングル材９の横面部９１及び角部を押さえ保持した。
【００４８】
このように施工される図４の雪止め材９の取付構造でも、流れ方向から見た正面図である図４（ｃ）より明らかなようにアングル材９の雪止め部に相当する縦面部９２が流れ方向に正対するように臨むものであって、複数種類の既設屋根に対し、容易に且つ安価に適用できるものであり、実用的価値が極めて高いものである。なお、流れ方向の側方から見た側面図である図４（ｄ）より明らかなようにある一定以上の積雪は、縦面部９２に堰き止められて落雪することがなく雪止めされるものとなる。
【符号の説明】
【００４９】
１，１'，１Ｚ，１Ｚ'  取付金具
１ｂ  連結ボルト
１ｃ  ナット
２，２'，２Ｚ，２Ｚ'  第一部材
２１Ａ  （一面側の）挟持用受部
２１Ｂ  （他面側の）挟持用受部
３，３'，３Ｚ，３Ｚ'  第二部材
３１Ａ  （一面側の）挟持用受部
３１Ｂ  （他面側の）挟持用受部
４Ａ，４Ｂ  屋根材
５Ａ，５Ｂ  保持部材（吊子）
６Ａ，６Ｂ  カバー材
７Ａ，７Ｂ  突状部
８  押さえ金具
８ｂ  取付ボルト
８ｃ  ナット
９  アングル材（雪止め材）
【図１】
0006590720.tif 000002
【図２】
0006590720.tif 000003
【図３】
0006590720.tif 000004
【図４】
0006590720.tif 000005